(57)【要約】【課題】  装置本体の大きさに影響を与えずに厚い原稿の画像読取に対応することができ、さらに、装置本体の原稿台より大きい原稿にも対応できる画像読取装置を提供する。【解決手段】  読取機構を内蔵した装置本体１、５１の原稿台２、５２に、装置本体に対し回動可能に取り付けられた圧板３、５３により原稿を押し付けて、原稿を読み取る画像読取装置である。装置本体側の一端部の回動中心に第１ヒンジ４ａ、５４ａを設けるとともに、圧板側の第１ヒンジと対向する端部に回動中心となる第２ヒンジ４ｂ、５４ｂを設け、第１ヒンジと第２ヒンジを両端部で回動可能なリンク部材４、５４によって連結する。【選択図】  図１
2009200679.tif 000002
【特許請求の範囲】
【請求項１】
読取機構を内蔵した装置本体の原稿台に、該装置本体に対し回動可能に取り付けられた圧板により原稿を押し付けて、該原稿を読み取る画像読取装置において、
前記装置本体側の一端部の回動中心に第１ヒンジを設けるとともに、前記圧板側の前記第１ヒンジと対向する端部に回動中心となる第２ヒンジを設け、
前記第１ヒンジと前記第２ヒンジを両端部で回動可能なリンク部材によって連結することを特徴とする画像読取装置。
【請求項２】
前記圧板を前記第１ヒンジを中心に回動させて開閉することを特徴とする請求項１に記載の画像読取装置。
【請求項３】
前記圧板の前記第１ヒンジと対向する端部に開閉操作部を設けることを特徴とする請求項２に記載の画像読取装置。
【請求項４】
前記圧板を開閉するときは前記第１ヒンジが回動し、原稿が厚いときは前記第１ヒンジおよび前記第２ヒンジが回動することにより前記圧板が前記原稿台から離間することを特徴とする請求項２または３に記載の画像読取装置。
【請求項５】
前記圧板に、前記圧板を閉じたときに前記第２ヒンジとともに前記リンク部材および前記第１ヒンジが収容される凹部が形成されていることを特徴とする請求項２乃至４のいずれか１項に記載の画像読取装置。
【請求項６】
前記原稿台より大きい原稿を読み取るために前記圧板を閉じたとき、該原稿が前記原稿台と前記リンク部材との間に位置することを特徴とする請求項２乃至５のいずれか１項に記載の画像読取装置。
【請求項７】
前記原稿台より大きい厚い原稿を読み取るために前記圧板を閉じたとき、前記第１ヒンジの部分で前記リンク部材が前記原稿台から離間する方向へ移動可能であることを特徴とする請求項２乃至６のいずれか１項に記載の画像読取装置。
【請求項８】
前記リンク部材は、変形可能な弾性材で形成されており、弾性変位により前記第１ヒンジの部分で前記原稿台から離間する方向へ移動可能であることを特徴とする請求項２乃至６のいずれか１項に記載の画像読取装置。
【請求項９】
前記圧板が急に閉まることを防止するための緩衝手段を前記第１ヒンジの部分に設けることを特徴とする請求項２乃至６のいずれか１項に記載の画像読取装置。
【請求項１０】
前記圧板を前記第２ヒンジを中心に回動させて開閉することを特徴とする請求項１に記載の画像読取装置。
【請求項１１】
前記圧板の前記第２ヒンジと対向する端部に開閉操作部を設けることを特徴とする請求項１０に記載の画像読取装置。
【請求項１２】
前記圧板を開閉するときは前記第２ヒンジが回動し、原稿が厚いときは前記第１ヒンジおよび前記第２ヒンジが回動することにより前記圧板が前記原稿台から離間することを特徴とする請求項１０または１１に記載の画像読取装置。
【請求項１３】
前記装置本体に、前記圧板を閉じたときに前記第１ヒンジとともに前記リンク部材および前記第２ヒンジが収容される凹部が形成されていることを特徴とする請求項１０乃至１２のいずれか１項に記載の画像読取装置。
【請求項１４】
前記原稿台より大きい原稿を読み取るために前記圧板を閉じたとき、該原稿が前記圧板と前記リンク部材との間に位置することを特徴とする請求項１０乃至１３のいずれか１項に記載の画像読取装置。
【請求項１５】
前記原稿台より大きい厚い原稿を読み取るために前記圧板を閉じたとき、前記第２ヒンジの部分で前記リンク部材が前記圧板から離間する方向へ移動可能であることを特徴とする請求項１０乃至１４のいずれか１項に記載の画像読取装置。
【請求項１６】
前記リンク部材は、変形可能な弾性材で形成されており、弾性変位により前記第２ヒンジの部分で前記圧板から離間する方向へ移動可能であることを特徴とする請求項１０乃至１４のいずれか１項に記載の画像読取装置。
【請求項１７】
前記圧板が急に閉まることを防止するための緩衝手段を前記第２ヒンジの部分に設けることを特徴とする請求項１０乃至１４のいずれか１項に記載の画像読取装置。
【発明の詳細な説明】
【技術分野】
【０００１】
本発明は、読取機構を内蔵した装置本体の原稿台に、装置本体に取り付けられた圧板により原稿を押し付け、原稿を読み取る画像読取装置に関する。
【背景技術】
【０００２】
スキャナ等の画像読取装置として、読取機構を内蔵した装置本体の原稿台に、該装置本体に対し回動可能に取り付けられた圧板により原稿を押し付け、該原稿を読み取る構成のものが使用されている。この画像読取装置においては、原稿台としてはガラス等の透明な板材が使用され、白地シートを有する圧板により原稿台に押し付けた原稿を、装置本体内の読取機構により走査することで画像を読み取っていく。
【０００３】
かかる画像読取装置において、厚い原稿を原稿台に押し付けるための構成として、圧板の所定幅内の一部に第１ヒンジおよび第２ヒンジ部を配設するものが特許文献１に開示されている。また、特許文献２には、圧板を回動させるヒンジを１箇所のみとし、圧板の軸のみが装置本体に対して垂直方向に移動可能とし、圧板を引っ張りバネにより装置本体側へ引き込む方向に付勢するように構成した画像読取装置が開示されている。
【特許文献１】特開平０５−０３４８４２号公報
【特許文献２】特開平１１−３０５３５８号公報
【発明の開示】
【発明が解決しようとする課題】
【０００４】
特許文献１の構成では、圧板の所定幅内の一部に第１ヒンジおよび第２ヒンジが配設されている。このため、所定幅内である第１ヒンジと原稿台ガラスの端面との距離によって圧板の離間距離が決定されることになり、圧板の離間距離が装置本体の大きさによって制限されるという課題があった。さらに、圧板が急に閉まることを防止するために、緩衝機構によって第１ヒンジの軸部に摩擦抵抗などを与える構成を採ると、圧板を閉めるときに第２ヒンジのみが回動し、第１ヒンジは摩擦力により回動できなくなる。つまり、緩衝機構を設けると圧板を閉じることができなくなるため、緩衝機構を同時に設けることができないという課題があった。
【０００５】
また、特許文献２の構成では、装置本体に対して圧板側のヒンジ軸のみが垂直方向に移動可能であるため、圧板の離間距離は装置本体の厚さによって制限されることになる。このため、厚い原稿に対応するためには画像読取装置自体を厚くせねばならないという課題があった。
【０００６】
本発明はこのような技術的課題に鑑みてなされたものである。本発明の目的は、装置本体の大きさに影響を与えずに厚い原稿の画像読取に対応することができる画像読取装置を提供することである。
【課題を解決するための手段】
【０００７】
本発明は、読取機構を内蔵した装置本体の原稿台に、該装置本体に対し回動可能に取り付けられた圧板により原稿を押し付けて、該原稿を読み取る画像読取装置において、前記装置本体側の一端部の回動中心に第１ヒンジを設けるとともに、前記圧板側の前記第１ヒンジと対向する端部に回動中心となる第２ヒンジを設け、前記第１ヒンジと前記第２ヒンジを両端部で回動可能なリンク部材によって連結することを特徴とする。
【発明の効果】
【０００８】
本発明によれば、装置本体の大きさに影響を与えずに厚い原稿の画像読取に対応することができる画像読取装置が提供される。
【発明を実施するための最良の形態】
【０００９】
以下に本発明の実施形態を説明する。なお、各図面を通して同一符号は同一又は対応部分を示すものである。
〔第１の実施形態〕
図１は第１の実施形態に係る画像読取装置の圧板を開いたときの斜視図である。図２は図１の画像読取装置の圧板を閉じたときの斜視図である。図３は図１の画像読取装置で厚い原稿を読み取るときる側面図である。図４は図１の画像読取装置で大きい原稿を原稿台に載置したときの斜視図である。図５は図１の画像読取装置の第１ヒンジの拡大断面図である。
【００１０】
画像読取装置は、読取機構を内蔵した装置本体１の原稿台２に、装置本体１に対し回動可能に取り付けられた圧板３により原稿を押し付けて、原稿の画像を読み取るように構成されている。原稿台２はガラス等の透明な板材で構成されており、原稿台ガラスとも称される。装置本体１の内部には、縮小光学系または等倍光学系を用いた読取ユニットを走査させることにより原稿台２の表面に押し付けられた原稿を原稿台２の裏面から読み取る読取機構が配設されている。装置本体１側の一端部には回動中心を構成する第１ヒンジ４ａが設けられており、原稿台２に原稿を押し付けるための圧板３は第１ヒンジ４ａを中心に回動させることで開閉するように取り付けられている。第１ヒンジ４ａは、装置本体１の図示左側端部（装置の後部）に設けられている。
【００１１】
圧板３の原稿台２と対向する押圧面には、例えばスポンジシートに白色のプラスチックシートを張り付けて構成された白地シート５が接合されている。この白地シート５は、原稿範囲外の領域を読み取るときに、その領域が白く読み取られるようにするためのものである。また、白地シート５は、原稿を原稿台２に均一に押し付けるとともに、外光が装置本体１内の読取ユニットに入らないようにするためのものである。圧板３の第１ヒンジ４ａと対向する端部には、回動中心となる第２ヒンジ４ｂが設けられている。各ヒンジ４ａ、４ｂは兆番で構成されている。そして、第１ヒンジ４ａと第２ヒンジ４ｂはリンク部材４によって連結されている。この場合、リンク部材４は、その両端部で各ヒンジ４ａ、４ｂに対して回動可能に連結されている。
【００１２】
第１ヒンジ４ａおよび第２ヒンジ４ｂ、並びにこれらを連結するリンク部材４は、図示のように、白地シート５および原稿台２を挟むようにして装置の両側の２箇所に配されている。圧板３の開閉時の回動中心となる第１ヒンジ４ａと対向する端部には、圧板３を開閉するときの把持部となる開閉操作部３ａが設けられており、開閉操作部３ａを持って圧板３を操作し、リンク部材４が第１ヒンジ４ａで回動することで、圧板３を開閉する。また、圧板３の両側の白地シート５を挟む位置には溝状の凹部３ｄが形成されている。これらの凹部３ｄには、圧板３を閉じたとき、第２ヒンジ４ｂとともにリンク部材４および第１ヒンジ４ａが収容される。これらの凹部３ｄは、圧板３を閉じたときに、リンク部材４、第１ヒンジ４ａおよび第２ヒンジ４ｂが他の部品と干渉するなどの障害とならないようにするものである。
【００１３】
次に、厚い原稿を読み取る場合を説明する。この厚い原稿には、複数枚の原稿を重ねたり、綴じたりしたものも含まれる。この場合は、図３に示すように、厚い原稿Ｄによって圧板３が原稿台２から離間させられる。その際、装置本体１と圧板３はリンク部材４によって連結されており、第１ヒンジ４ａと第２ヒンジ４ｂが両方とも自由に回動する。すなわち、圧板３を開閉するときは上述のように第１ヒンジ４ａが回動するが、原稿が厚いときは第１ヒンジ４ａおよび第２ヒンジ４ｂの両方が圧板３を閉じたときの状態から回動することにより圧板３が原稿台２から離間する。この場合、リンク部材４は、原稿台２に対して略平行に離間させるのみならず、原稿Ｄの厚さ方向の形状に応じて離間させることができる。これにより、圧板３は厚い原稿Ｄを垂直方向から均一に押圧することができ、原稿の浮きを抑えた状態で画像を精確に読み取ることができる。なお、通常の薄い原稿の場合は、第１ヒンジ４ａおよび第２ヒンジ４ｂをほとんど回動させることなく（リンク部材４が凹部３ｄに収容された状態から回動させることなく）、原稿を原稿台２に押し付けて読み取ることができる。
【００１４】
次に、大きい原稿を読み取る場合を説明する。図４に示すように原稿台２より大きい原稿Ｅを読み取るときは、原稿Ｅが装置本体１とリンク部材４との間に挟まれた状態で読取動作が行われる。つまり、原稿台２より大きい原稿Ｅを読み取るために圧板３を閉じたとき、原稿Ｅが原稿台２とリンク部材４との間に位置する状態となる。その際、リンク部材４は、前述のように圧板３に形成された凹部３ｄ内に収容されるので、原稿Ｅと干渉して該原稿を傷めることはない。
【００１５】
また、原稿台２より広く、かつ厚い原稿を読み取る場合、すなわち大きい原稿Ｅが一定厚さより厚い場合は、原稿Ｅとリンク部材４が干渉することになる。そこで、原稿台２より大きい厚い原稿を読み取るために圧板３を閉じたとき、第１ヒンジ４ａの部分でリンク部材４が原稿台２から離間する方向へ移動可能になっている。すなわち、図５に示すように、圧板３を開閉するときの回動中心となる第１ヒンジ４ａにおいては、装置本体１側のヒンジ軸１ａに対して、リンク部材４は原稿の厚さ方向に長い長孔を介して回動可能に連結されている。このように、第１ヒンジ４ａが装置本体１のヒンジ軸１ａに対して原稿台２と垂直な方向に一定距離だけ移動可能にすることにより、広くて厚い原稿Ｅとリンク部材４との干渉を軽減もしくは無くすことができる。これにより、原稿Ｅへの悪影響を防止することができる。
【００１６】
前述のように第１ヒンジ４ａの嵌合部を原稿台２と垂直な方向へ移動可能にする代わりに、リンク部材４を変形可能な弾性材料で形成しても良い。すなわち、リンク部材４を変形可能な弾性材で形成することにより、弾性変位により第１ヒンジ４ａの部分で原稿台２から離間する方向へ移動可能にしても良く、かかる構成によっても、広くて厚い原稿Ｅのリンク部材４との干渉によるダメージを防ぐことができる。なお、圧板３は、第２ヒンジ４ｂを中心に回動可能であることから、必要に応じて、圧板３側の第２ヒンジ４ｂを回動中心として圧板３を開閉させるような使用方法も可能である。
【００１７】
また、圧板３を開閉するときに圧板３が急激に閉まることを防ぐため、あるいは、圧板３を開くときに必要な操作力を軽減するために、圧板３の開閉時の回動軸となる第１ヒンジ４ａに回動速度に対抗する減衰力を発生する緩衝手段を設けても良い。つまり、圧板３が急に閉まることを防止するための緩衝手段を第１ヒンジ４ａの部分に設けることにより、圧板開閉時の操作性の向上と部品間の衝突防止を図ることができる。この緩衝手段としては、例えば第１ヒンジ４ａのヒンジ軸１ａに摺動摩擦や粘性流体により圧板３が閉じるときの回動速度に対する抵抗力（減衰力）を発生する機構を用いることができる。
【００１８】
本実施形態によれば、装置本体１の大きさに影響を与えずに厚い原稿の画像読取に対応することができる画像読取装置が提供される。また、原稿台２より大きい原稿にも対応することができる画像読取装置が提供される。さらに、圧板３を閉じるときの回動速度に対抗する減衰力を発生する緩衝手段、すなわち圧板３が急に閉まることを防止する緩衝手段を設けることにより、圧板３の操作性の向上並びに装置の耐久性の向上を図ることができる。
【００１９】
〔第２の実施形態〕
図６は第２の実施形態に係る画像読取装置の圧板を開いたときの斜視図である。図７は図６の画像読取装置の圧板を閉じたときの斜視図である。図８は図６の画像読取装置で厚い原稿を読み取るときる側面図である。図９は図６の画像読取装置で大きい原稿を原稿台に載置したときの斜視図である。図１０は図６の画像読取装置の第２ヒンジの拡大断面図である。
【００２０】
画像読取装置は、読取機構を内蔵した装置本体５１の原稿台５２に、装置本体５１に対し回動可能に取り付けられた圧板５３により原稿を押し付けて、原稿の画像を読み取るように構成されている。原稿台５２はガラス等の透明な板材で構成されており、原稿台ガラスとも称される。装置本体５１の内部には、縮小光学系または等倍光学系を用いた読取ユニットを走査させることにより原稿台５２の表面に押し付けられた原稿を原稿台５２の裏面から読み取る読取機構が配設されている。装置本体５１側の一端部には回動中心を構成する第１ヒンジ５４ａが設けられており、圧板５３の第１ヒンジ５４ａと対向する端部には回動中心を構成する第２ヒンジ５４ｂが設けられている。原稿を原稿台５２に押し付けるための圧板５３は第２ヒンジ５４ｂを中心に回動させて開閉するように取り付けられている。第１ヒンジ５４ａは装置本体５１の図示右側端部（装置の前部）に設けられており、第２ヒンジ５４ｂは圧板５３の図示左側端部（装置の後部）に設けられている。
【００２１】
圧板５３の原稿台５２と対向する押圧面には、例えばスポンジシートに白色のプラスチックシートを張り付けて構成された白地シート５５が接合されている。この白地シート５５は、原稿範囲外の領域を読み取るときに、その領域が白く読み取られるようにするためのものである。また、白地シート５５は、原稿を原稿台５２に均一に押し付けるとともに、外光が装置本体５１内の読取ユニットに入らないようにするためのものである。装置本体５１の一端部に設けられた第１ヒンジ５４ａと圧板５３の他端部に設けられた第２ヒンジ５４ｂとは、リンク部材５４によって連結されている。各ヒンジ５４ａ、５４ｂは兆番で構成されており、リンク部材５４はその両端部で各ヒンジ５４ａ、５４ｂに対して回動可能に連結されている。
【００２２】
第１ヒンジ５４ａおよび第２ヒンジ５４ｂ、並びにこれらを連結するリンク部材５４は、図示のように、原稿台５２および白地シート５５を挟むようにして装置の両側の２箇所に配されている。圧板５３の開閉時の回動中心となる第２ヒンジ５４ｂと対向する端部には、圧板５３を開閉するときの把持部となる開閉操作部５３ａが設けられている。この開閉操作部５３ａを持って圧板５３を操作し、リンク部材５４が第２ヒンジ５４ｂで回動することで、圧板５３を開閉する。また、装置本体５１の両側の原稿台５２を挟む位置には溝状の凹部５１ｄが形成されている。これらの凹部５１ｄには、圧板５３を閉じたとき、第１ヒンジ５４ａとともにリンク部材５４および第２ヒンジ５４ｂが収容される。これらの凹部５１ｄは、圧板５３を閉じたときに、リンク部材５４、第１ヒンジ５４ａおよび第２ヒンジ５４ｂが他部品に干渉するなどの障害とならないようにするものである。
【００２３】
次に、厚い原稿を読み取る場合を説明する。この厚い原稿には、複数枚の原稿を重ねたり、綴じたりしたものも含まれる。この場合は、図８に示すように、原稿Ｄによって圧板５３が原稿台５２から離間させられる。その際、装置本体５１と圧板５３はリンク部材５４によって連結されており、第１ヒンジ５４ａと第２ヒンジ５４ｂが両方とも自由に回動する。すなわち、圧板５３を開閉するときは上述のように第２ヒンジ５４ｂが回動するが、原稿が厚いときは、第１ヒンジ５４ａおよび第２ヒンジ５４ｂの両方が圧板５３を閉じたときの状態から回動することにより、圧板５３が原稿台５２から離間する。この場合、リンク部材５４は、原稿台５２に対して略平行に離間させるのみならず、原稿Ｄの厚さ方向の形状に応じて離間させることができる。これにより、圧板５３は厚い原稿Ｄを垂直方向から均一に押圧することができ、原稿の浮きを抑えた状態で画像を精確に読み取ることができる。なお、通常の薄い原稿の場合は、第２ヒンジ５４ｂおよび第１ヒンジ５４ａをほとんど回動させることなく（リンク部材５４が凹部５１ｄに収容された状態から回動させることなく）、原稿を原稿台５２に押し付けて読み取ることができる。
【００２４】
次に、大きい原稿を読み取る場合を説明する。図９に示すように原稿台５２より大きい原稿Ｅを読み取るときは、原稿Ｅが圧板５３とリンク部材５４との間に挟まれた状態で読取動作が行われる。つまり、原稿台５２より大きい原稿Ｅを読み取るために圧板５３を閉じたとき、原稿Ｅが圧板５３とリンク部材５４との間に位置する状態となる。その際、リンク部材５４は、前述のように装置本体５１に形成された凹部５１ｄ内に収容されるので、原稿Ｅと干渉して該原稿を傷めることはない。
【００２５】
また、原稿台５２より広く、かつ厚い原稿を読み取る場合、すなわち大きい原稿Ｅが一定厚さより厚い場合は、原稿Ｅとリンク部材５４が干渉することになる。そこで、本実施形態では、原稿台５２より大きい厚い原稿を読み取るために圧板５３を閉じたとき、第２ヒンジ５４ｂの部分でリンク部材５４が圧板５３から離間する方向へ移動可能になっている。すなわち、図１０に示すように、圧板５３を開閉するときの回動中心となる第２ヒンジ５４ｂにおいては、圧板５３側のヒンジ軸５３ｂに対して、リンク部材５４は原稿の厚さ方向に長い長孔を介して回動可能に連結されている。このように、第２ヒンジ５４ｂが圧板５３のヒンジ軸５３ａに対して圧板５３と垂直な方向に一定距離だけ移動可能にすることにより、広くて厚い原稿Ｅとリンク部材５４との干渉を軽減もしくは無くすことができる。これにより、原稿Ｅへの悪影響を防止することができる。
【００２６】
前述のように第２ヒンジ５４ｂの嵌合部を圧板５３と垂直な方向へ移動可能にする代わりに、リンク部材５４を変形可能な弾性材料で形成しても良い。すなわち、リンク部材５４を変形可能な弾性材で形成することにより、弾性変位により第２ヒンジ５４ｂの部分で圧板５３から離間する方向へ移動可能にしても良い。かかる構成によっても、広くて厚い原稿Ｅのリンク部材５４との干渉によるダメージを防ぐことができる。なお、圧板５３は、第１ヒンジ５４ａを中心に回動可能であることから、必要に応じて、装置本体５１側の第１ヒンジ５４ａを回動中心として圧板５３を開閉させるような使用方法も可能である。
【００２７】
また、圧板５３を開閉するときに圧板５３が急激に閉まることを防ぐため、あるいは、圧板５３を開くときに必要な操作力を軽減するために、圧板５３の開閉時の回動軸となる第２ヒンジ５４ｂに回動速度に対抗する減衰力を発生する緩衝手段を設けても良い。つまり、圧板５３が急に閉まることを防止するための緩衝手段を第２ヒンジ５４ｂの部分に設けることにより、圧板開閉時の操作性の向上と部品間の衝突防止を図ることができる。この緩衝手段としては、例えば第２ヒンジ５４ｂのヒンジ軸５３ｂに摺動摩擦や粘性流体により圧板５３が閉じるときの回動速度に対する抵抗力（減衰力）を発生する機構を用いることができる。
【００２８】
本実施形態によっても、装置本体５１の大きさに影響を与えずに厚い原稿の画像読取に対応することができる画像読取装置が提供される。また、原稿台５２より大きい原稿にも対応することができる画像読取装置が提供される。さらに、圧板５３を閉じるときの回動速度に対抗する減衰力を発生する緩衝手段、すなわち圧板５３が急に閉まることを防止する緩衝手段を設けることにより、圧板５３の操作性の向上並びに装置の耐久性の向上を図ることができる。
【図面の簡単な説明】
【００２９】
【図１】図１は第１の実施形態に係る画像読取装置の圧板を開いたときの斜視図である。
【図２】図１の画像読取装置の圧板を閉じたときの斜視図である。
【図３】図１の画像読取装置で厚い原稿を読み取るときる側面図である。
【図４】図１の画像読取装置で大きい原稿を原稿台に載置したときの斜視図である。
【図５】図１の画像読取装置の第１ヒンジの拡大断面図である。
【図６】第２の実施形態に係る画像読取装置の圧板を開いたときの斜視図である。
【図７】図６の画像読取装置の圧板を閉じたときの斜視図である。
【図８】図６の画像読取装置で厚い原稿を読み取るときる側面図である。
【図９】図６の画像読取装置で大きい原稿を原稿台に載置したときの斜視図である。
【図１０】図６の画像読取装置の第２ヒンジの拡大断面図である。
【符号の説明】
【００３０】
１、５１    装置本体
１ａ        ヒンジ軸（装置本体）
２、５２    原稿台
３、５３    圧板
３ａ、５３ａ    開閉操作部（圧板）
５３ｂ      ヒンジ軸（圧板）
４、５４    リンク部材
４ａ、５４ａ    第１ヒンジ
４ｂ、５４ｂ    第２ヒンジ
Ｄ    厚い原稿
Ｅ    大きい原稿
【図１】
2009200679.tif 000003
【図２】
2009200679.tif 000004
【図３】
2009200679.tif 000005
【図４】
2009200679.tif 000006
【図５】
2009200679.tif 000007
【図６】
2009200679.tif 000008
【図７】
2009200679.tif 000009
【図８】
2009200679.tif 000010
【図９】
2009200679.tif 000011
【図１０】
2009200679.tif 000012